(57)【要約】      （修正有）【課題】構造が簡単で、部品点数が少なく、安価で経済的であり、且つ、誰もが容易に取り扱え、膝関節痛・腰痛緩和に効果を発揮する膝関節痛・腰痛緩和用具を提供する。【解決手段】膝関節部及び腰骨部の折り曲げ等に支障のない適宜な柔軟性と、膝関節痛の緩和に効果を有する適度な弾性力を有し、且つ、略８の字状に折り曲げ形成し、且つ、上下中間部を係止金具で固着して設けたワイヤーロープ１と、該ワイヤーロープ１を膝や腰の患部に装着するための適宜な長さ寸法と幅寸法を有し、且つ、略８の字状に折り曲げ形成したワイヤーロープ１の上下左右角部をそれぞれ折り曲げて固着して設けた粘着テープ３から成るものである。【選択図】図１
0003178438.tif 000002
【実用新案登録請求の範囲】
【請求項１】
患部である膝関節部に装着して膝関節の負担を軽減する膝関節痛緩和用具であって、該用具は膝の折り曲げ等に支障のない適宜な柔軟性と、膝関節痛の緩和に効果を有する適度な弾性力を有し、且つ、略８の字状に折り曲げ形成し、且つ、上下中間部を係止金具（２）で固着して設けたワイヤーロープ（１）と、該ワイヤーロープを膝の患部（ａ）に装着するための適宜な長さ（Ｌ）寸法と幅（Ｗ）寸法を有し、且つ、略８の字状に折り曲げ形成したワイヤーロープの上下左右角部をそれぞれ折り曲げて固着して設けた布製粘着テープ（３）から成り、且つ、膝関節痛緩和用具を膝の患部（ａ）に装着時は、布製粘着テープの四方角部（３ａ）（３ａ）（３ａ）（３ａ）をそれぞれ剥離し、且つ、ワイヤーロープ側を膝患部（ａ）の外側と内側両面部、或いは外側と内側のいずれか片面部に接合させて、布製粘着テープの全面を使用して膝の患部へ貼着し、且つ、筒状の布製保護サポータ（ＳＰ）で用具全体を包囲して使用することを特徴とする膝関節痛緩和用具。
【請求項２】
患部である腰部に装着して腰の負担を軽減する腰痛緩和用具であって、該用具は腰の折り曲げ等に支障のない適宜な柔軟性と、膝関節痛の緩和に効果を有する適度な弾性力を有し、且つ、略８の字状に折り曲げ形成し、且つ、上下中間部を係止金具（２）で固着して設けたワイヤーロープ（１）と、該ワイヤーロープを腰の患部（ｂ）に装着するための適宜な長さ（Ｌ）寸法と幅（Ｗ）寸法を有し、且つ、略８の字状に折り曲げ形成したワイヤーロープの上下左右角部をそれぞれ折り曲げて固着して設けた布製粘着テープ（３）から成り、且つ、腰痛緩和用具を腰の患部（ｂ）に装着時は、布製粘着テープの四方角部（３ａ）（３ａ）（３ａ）（３ａ）をそれぞれ剥離し、且つ、ワイヤーロープ側を腰患部の後面部に接合させて、布製粘着テープの全面を使用して腰の患部へ貼着し、且つ、帯状の布製保護サポータ（ＳＰ'）で用具全体を包囲して使用することを特徴とする腰痛緩和用具。
【考案の詳細な説明】
【技術分野】
【０００１】
この考案は、膝関節痛・腰痛緩和用具に関するものである。
【背景技術】
【０００２】
従来、人の身体は、２００本を超える骨によって形づくられており、骨と骨との連結部分である関節、それを動かす筋肉や腱、更に運動神経や知覚神経によって、身体は自由に動くことが出来る。
【０００３】
従って、それらのどれか一つにでも支障が起こると、さまざまな痛みが生ずるものであり、その中でも「膝関節痛」と「腰痛」があげられる。
【０００４】
これらのうち、「腰痛」の痛みの原因には、筋肉由来の緊張性腰痛（筋肉を原因とした、筋肉膜性腰痛）と鈍い痛みを伴う慢性型腰痛とがある。
【０００５】
また、疾患でなく、腰部の負担にかかる動作による脊椎・腰椎・神経などの障害からくる慢性型腰痛もある。
【０００６】
そして、これらの患部には外出時に幅広のベルトを着脱自在に装着し、痛みが少しでも緩和することが行われ、そのため、種々のベルトやサポータが市販されている。
【０００７】
しかし、このようなベルトも、筒状であれば、ただ、膝関節部を圧迫するだけの構成であり、周囲の軟骨に負担がかかるものであった。例えば、特許文献１のように。
【先行技術文献】
【特許文献】
【０００８】
【特許文献１】特開２００１−１２０５８５号公報
【０００９】
しかし、前記の技術は、膝関節痛及び腰痛に対して、患部を固定又は保温するためのものであり、患部の軟骨に対しての対策がなされていなかった。
【００１０】
そこで、上記の問題を解決するための、膝関節や腰骨の負担を軽減するべく関節痛・腰痛用の緩和用ベルトが開発され、既に出願済み（実願２０１２−００３７８２）である。
【００１１】
今回新たに開発された膝関節痛・腰痛緩和用具は、前記のものに比較し、更に、構造が簡単で、部品点数が少なく安価で経済的であり、且つ、誰もが容易に取り扱え、膝関節痛・腰痛緩和に効果を発揮するものである。
【考案の開示】
【考案が解決しようとする課題】
【００１２】
そこで、上記課題を解決する為に、この考案は構造が簡単で、部品点数が少なく、安価で経済的であり、且つ、誰もが容易に取り扱え、且つ、膝関節痛・腰痛緩和に効果を発揮する膝関節痛・腰痛緩和用具を早期に開発・提供する事にある。
【課題を解決するための手段】
【００１３】
この課題を解決するための手段として、膝の折り曲げ等に支障のない適宜な柔軟性と、膝関節痛の緩和に効果を有する適度な弾性力を有し、且つ、略８の字状に折り曲げ形成し、且つ、上下中間部を係止金具で固着して設けたワイヤーロープと、該ワイヤーロープを膝の患部に装着するための適宜な長さ寸法と幅寸法を有し、且つ、略８の字状に折り曲げ形成したワイヤーロープの上下左右角部をそれぞれ折り曲げて固着して設けた粘着テープから成り、且つ、膝関節痛緩和用具を膝の患部に装着時は、粘着テープの四方角部をそれぞれ剥離し、且つ、ワイヤーロープ側を膝患部の外側と内側両面部、或いは外側と内側のいずれか片面部に接合させて、粘着テープの全面を使用して膝の患部へ貼着し、且つ、筒状の布製保護サポータで用具全体を包囲して使用することを特徴とするものである。
【００１４】
又、腰の折り曲げ等に支障のない適宜な柔軟性と、膝関節痛の緩和に効果を有する適度な弾性力を有し、且つ、略８の字状に折り曲げ形成し、且つ、上下中間部を係止金具で固着して設けたワイヤーロープと、該ワイヤーロープを腰の患部に装着するための適宜な長さ寸法と幅寸法を有し、且つ、略８の字状に折り曲げ形成したワイヤーロープの上下左右角部をそれぞれ折り曲げて固着して設けた粘着テープから成り、且つ、腰痛緩和用具を腰の患部に装着時は、粘着テープの四方角部をそれぞれ剥離し、且つ、ワイヤーロープ側を腰患部の後面部に接合させて、布製粘着テープの全面を使用して腰の患部へ貼着し、且つ、帯状の布製保護サポータで用具全体を包囲して使用することを特徴とするものである。
【考案の効果】
【００１５】
この考案の効果として、膝関節側面の上・下部或いは腰軟骨背面の上・下部に布製粘着テープを使用して、弾性力を有し、略８の字状に折り曲げ形成したワイヤーロープを固着することで、膝関節部の折り曲げ時、及び、腰軟骨部の折り曲げ時に掛かる負荷荷重を緩和・軽減することで、膝関節部及び腰軟骨部に負担が掛からない。
【００１６】
又、膝関節及び腰骨部の折り曲げ方向に対して柔軟に対応可能で、且つ、上下方向の負荷荷重に対しては弾性力により、負荷を軽減可能なワイヤーロープを使用することで、用具を装着していても煩わしさを感じない為、安心して使用出来る。更に用具の構造が簡単で部品点数が少なくコスト的にも安価で、誰でも容易に入手できる為、大衆向きである等、極めて有益なる効果を奏するものである。
【図面の簡単な説明】
【００１７】
【図１】この考案の膝関節痛・腰痛緩和用具の一実施例を示し、（Ａ）は正面図で、（Ｂ）は右側面図である。
【図２】この考案の膝関節痛緩和用具の使用例を示し、（Ａ）は正面図で、（Ｂ）は一部欠截右側面図である。
【図３】この考案の腰痛緩和用具の使用例を示し、（Ａ）は左側面図で、（Ｂ）は一部欠截背面図である。
【考案を実施するための形態】
【００１８】
この考案を実施するための形態として、患部である膝関節部に装着して膝関節の負担を軽減する膝関節痛緩和用具であって、該用具は膝の折り曲げ等に支障のない適宜な柔軟性と、膝関節痛の緩和に効果を有する適度な弾性力を有し、且つ、略８の字状に折り曲げ形成し、且つ、上下中間部を係止金具（２）で固着して設けたワイヤーロープ（１）と、該ワイヤーロープを膝の患部（ａ）に装着するための適宜な長さ寸法（Ｌ）と幅寸法（Ｗ）を有し、且つ、略８の字状に折り曲げ形成したワイヤーロープの上下左右角部をそれぞれ折り曲げて固着して設けた布製粘着テープ（３）から成り、且つ、膝関節痛緩和用具を膝の患部（ａ）に装着時は、布製粘着テープの四方角部（３ａ）（３ａ）（３ａ）（３ａ）をそれぞれ剥離し、且つ、ワイヤーロープ側を膝患部（ａ）の外側と内側両面部、或いは外側と内側のいずれか片面部に接合させて、布製粘着テープの全面を使用して膝の患部へ貼着し、且つ、筒状の布製保護サポータ（ＳＰ）で用具全体を包囲して使用することを特徴とする膝関節痛緩和用具から構成される。
【００１９】
又、患部である腰部に装着して腰の負担を軽減する腰痛緩和用具であって、該用具は腰の折り曲げ等に支障のない適宜な柔軟性と、膝関節痛の緩和に効果を有する適度な弾性力を有し、且つ、略８の字状に折り曲げ形成し、且つ、上下中間部を係止金具（２）で固着して設けたワイヤーロープ（１）と、該ワイヤーロープを腰の患部（ｂ）に装着するための適宜な長さ（Ｌ）寸法と幅（Ｗ）寸法を有し、且つ、略８の字状に折り曲げ形成したワイヤーロープの上下左右角部をそれぞれ折り曲げて固着して設けた布製粘着テープ（３）から成り、且つ、腰痛緩和用具を腰の患部（ｂ）に装着時は、布製粘着テープの四方角部（３ａ）（３ａ）（３ａ）（３ａ）をそれぞれ剥離し、且つ、ワイヤーロープ側を腰患部の後面部に接合させて、布製粘着テープの全面を使用して腰の患部へ貼着し、且つ、帯状の布製保護サポータ（ＳＰ'）で用具全体を包囲して使用することを特徴とする腰痛緩和用具から構成される。
【実施例１】
【００２０】
そこで、この考案の一実施例を図１に基づいて詳述すると、膝関節痛・腰痛緩和用具は、膝の折り曲げ等に支障のない適宜な柔軟性と、膝関節痛の緩和に効果を有する適度な弾性力を有し、且つ、略８の字状に折り曲げ形成し、且つ、上下中間部を金属製の係止金具（２）で固着して設けた線径が約２ｍｍのワイヤーロープ（１）と、該ワイヤーロープを膝の患部（ａ）に装着するための適宜な長さ（Ｌ）寸法（約１７０ｍｍ）と幅（Ｗ）寸法（約４５ｍｍ）を有し、且つ、略８の字状に折り曲げ形成したワイヤーロープの上下左右角部をそれぞれ折り曲げてワイヤーロープを固着して設けた布製粘着テープ（３）から成るものである。
【００２１】
又、前記布製粘着テープ（３）は、図１（Ａ）に示すように、長さ寸法約１８０ｍｍ×幅寸法約４８ｍｍの矩形状に形成され、且つ、粘着テープの粘着剤塗布面（３'）側中心部にワイヤーロープを載せ、四方角部をそれぞれ折り曲げて、略８の字状に折り曲げ形成したワイヤーロープのＲ部に固着されている。
【００２２】
そして、例えば図２（Ａ）（Ｂ）に示すように、膝関節痛緩和用に使用する時は、予め、ワイヤーロープのＲ部に貼着した布製粘着テープの四方角部（３ａ）（３ａ）（３ａ）（３ａ）をそれぞれ剥離し、且つ、ワイヤーロープ側を膝患部（ａ）の外側と内側両面部、或いは外側と内側のいずれか片面部に直接接合させて、布製粘着テープの全面を使用して膝の患部へ貼着し、且つ、筒状の布製保護サポータ（ＳＰ）で用具全体を包囲して使用するものである。尚、前記の筒状布製保護サポータ（ＳＰ）に関しては、既製の市販品を使用する為、必ずしも使用しなくてはならないものではなく、使用状況に応じて適宜使用すれば良い。
【００２３】
又、図３（Ａ）（Ｂ）に示すように、腰痛緩和用に使用する時は、前記と同様に、予め、ワイヤーロープのＲ部に貼着した粘着テープの四方角部（３ａ）（３ａ）（３ａ）（３ａ）をそれぞれ剥離し、且つ、ワイヤーロープ側を腰の患部（ｂ）の背面部に直接接合させて、布製粘着テープの全面を使用して腰の患部へ貼着し、且つ、帯状の布製保護サポータ（ＳＰ'）で用具全体を包囲して使用するものである。尚、前記の帯状布製保護サポータ（ＳＰ'）に関しては、既製の市販品を使用する為、必ずしも使用しなくてはならないものではなく、使用状況に応じて適宜使用すれば良い。
【産業上の利用可能性】
【００２４】
この考案の膝関節痛・腰痛緩和用具は、構造が簡単で、部品点数が少なく、安価で経済的であり、且つ、誰もが容易に取り扱え、且つ、膝関節痛・腰痛緩和に効果を発揮するため、膝関節痛・腰痛緩和用具の技術を確立し、製造・販売することで、膝関節痛及び腰痛に悩む多くの患者に寄与する為、産業上の利用可能性を有する。
【符号の説明】
【００２５】
１  ワイヤーロープ
２  係止金具
３  布製粘着テープ
３'  粘着剤塗布面
３ａ  布製粘着テープの四方角部
ａ  膝の患部
ｂ  腰の患部
Ｌ  粘着テープの長さ寸法
Ｗ  粘着テープの幅寸法
ＳＰ  筒状布製保護サポータ
ＳＰ'  帯状布製保護サポータ
【図１】
0003178438.tif 000003
【図２】
0003178438.tif 000004
【図３】
0003178438.tif 000005